(57)【要約】      （修正有）【課題】自転車乗降時の障害とならず、バスケットの大きさや正面側突出の程度に合わせてリフレクターの正面方向突出を調整でき、低コスト化をはかる。【解決手段】バスケットステーＢＳに装着されるブラケット１と、先端に取り付けられるハウジング７とからなり、ブラケット１は幅方向に向けた凹部がブラケット１の長さ方向に２箇所以上形成され、各凹部を跨ぐ両側に位置して取り付け用のねじ穴が形成され、ハウジング７内に薄板状のリフレクター１１を装入自在とし、背面側でブラケット１の先端に角度調整自在にネジ止めされ、ブラケット１の任意の凹部をもってバスケットステーＢＳを跨がらせた状態にて凹部両側の取り付け用のねじ穴に向けて締め付け用ネジを螺入締め付け固定する。見栄えがよく、角度の調整も簡単、バスケットステーＢＳに対する固定位置を変えることによりリフレクター１１の前方突出位置を任意に調整可能。【選択図】図１
0003143534.tif 000002
【実用新案登録請求の範囲】
【請求項１】
バスケットの下面部において、該バスケットを取り付けるバスケットステーに装着されるブラケットと、該ブラケットの先端にねじ止めして取り付けられるハウジングとからなり、ブラケットは幅方向に向けた凹部が該ブラケットの長さ方向に２箇所以上形成され、しかも各凹部を跨いだ両側に位置して取り付け用のねじ穴が形成されているとともに、ハウジングはリフレクターが施された正面側をバスケットの正面側に向くよう、背面側で前記ブラケットの先端に角度調整自在にネジ止めされ、ブラケットの任意の凹部をもってバスケットステーを跨がらせた状態にてバスケット底面部より、該凹部両側の取り付け用のねじ穴に向けて締め付け用ネジを螺入締め付けして取り付けるようにした自転車用バスケット下リフレクター装置。
【請求項２】
ハウジングの正面側に向けて施されたリフレクターは、ハウジング内を中空室とし、正面側に向けてリフレクター面露出用の開口窓を開口させるとともに、左右又は上下の少なくとも一端を開口し、該開口部より板状のリフレクターを上記中空室内に装入させてなるものであるところの請求項１に記載の自転車用バスケット下リフレクター装置。
【考案の詳細な説明】
【技術分野】
【０００１】
本考案は、自転車のバスケット下部分に前方に向けて取り付けられるリフレクター装置の改良に関し、機能性の向上とコストの低減をはかることを目的とする。
【背景技術】
【０００２】
近時自転車走行の安全性を確保する目的のもとに、自転車後方のみならず走行前方に向けたリフレクターの取り付けがおこなわれるようになった。一例としては後方に向けた１個のリフレクターをシートポストに、また前方に向けた１個のリフレクターをハンドルポストに、それぞれ取り付け用のカラーを用いて固定するものが提案されている（特開２００１−９７２６６号公報参照）。
【特許文献１】特開２００１−９７２６６号公報
【考案の開示】
【考案が解決しようとする課題】
【０００３】
しかしながら、特許文献１に記載のものは、取付位置がシートポストやハンドルポストであるために、乗降時の障害となりやすくまた見映えもよくない。
【課題を解決するための手段】
【０００４】
そこで本考案にあっては、乗降時の障害となることがなく、しかも機能性の向上とコストの低減をはかることができ、かつ見映えもよい安全なリフレクター装置を提案するものである。
【０００５】
具体的にはバスケットの下面部において、該バスケットを取り付けるバスケットステーに装着されるブラケットと、該ブラケットの先端にねじ止めして取り付けられるハウジングとからなり、ブラケットは幅方向に向けた凹部が該ブラケットの長さ方向に２箇所以上形成され、しかも各凹部を跨ぐ両側に位置して取り付け用のねじ穴が形成されているとともに、ハウジングはリフレクターが施された正面側をバスケットの正面側に向くよう、背面側で前記ブラケットの先端に角度調整自在にネジ止めされ、ブラケットの任意の凹部をもってバスケットステーを跨がらせた状態にてバスケット底面部より、該凹部両側の取り付け用のねじ穴に向けて締め付け用ネジを螺入締め付けして取り付けるようにした自転車用バスケット下リフレクター装置に関する。
【０００６】
また、ハウジングの正面側に向けて施されたリフレクターは、ハウジング内を中空室とし、正面側に向けてリフレクター面露出用の開口窓を開口させるとともに、左右又は上下の少なくとも一端を開口し、該開口部より板状のリフレクターを上記中空室内に装入させてなるものであるとことの自転車用バスケット下リフレクター装置にも関する。
【考案の効果】
【０００７】
本考案は上記したように、自転車のバスケット下に取り付けられるために、見映えがよく、またかごの正面側の変形などによるリフレクター角度変化の影響がないばかりでなく、先端にリフレクターのハウジングを取り付けたブラケットには幅方向に向けた凹部が長さ方向に２箇所以上形成され、しかも各凹部を跨いだ両側に位置して取り付け用のねじ穴が形成されているために、バスケットの大きさ如何によりバスケットステーに対する固定位置を変えることによりリフレクターの前方突出位置を任意に調整することができ、またハウジングはリフレクターが施された正面側をバスケットの正面側に向くよう、背面側で前記ブラケットの先端に角度調整自在にネジ止めされているのでリフレクター角度の調整が簡単である。
【０００８】
さらに、ハウジングの正面側に向けて施されたリフレクターが、ハウジング内を中空室とし、正面側に向けてリフレクター面露出用の開口窓を開口させるとともに、左右又は上下の少なくとも一端を開口し、該開口部より板状のリフレクターを上記中空室内に装入させてなるものである場合においては、ハウジング自体は樹脂による射出成型に生産するとともに、リフレクターを薄板状として量産し、これをその正面側をハウジングの正面側に合わせて上記ハウジングの一端開口部より中空室内に簡単に差し込んでリフレクターを完成させることができ、構造が簡単で、しかも量産に向き、しかもコストの低減が見込まれる。
【考案を実施するための最良の形態】
【０００９】
以下において本考案の具体的な内容を、図１および図２にあらわした実施例をもとに説明をすると、１はブラケット、７はリフレクター用のハウジングをあらわす。ブラケット１は、平板状部材２からなり、該平板状部材２には幅方向に向けた凹部３ａ・３ｂが、該ブラケット１の長さ方向に２箇所形成されており、しかも各凹部３ａ・３ｂを跨いだ両側に位置して取り付け用のネジ穴４ａ・４ｂ・４ｃが形成されている。
【００１０】
なおｘ・ｙ・ｚは各ねじ穴４ａ・４ｂ・４ｃの周りに下方に向けて突出させたバーリング加工部をあらわしている。さらにブラケット１の先端部には平板状部材２の片側の側端を直角下方に折り曲げてリフレクターのハウジング７取り付け用の固定片５が形成されている。なお該固定片５において、６はハウジング固定用のネジ穴、６ａは該ネジ穴６の周りに外方に向けて突出させたバーリング加工部である。
【００１１】
一方ハウジング７は、内部に中空室８が形成され、正面側に向けてリフレクター面露出用の開口窓９を開口させるとともに、左右の少なくとも一端を開口して開口部１０とし、該開口部８より板状のリフレクター１１を上記中空室８内にスライドさせて装入するようになっている。またハウジング７の背面中央部には後方に突出させた取付け部１２が形成され、しかも該取付け部１２にはハウジング７取付け用のネジ穴１３が直交方向に設けられ、しかも該ネジ穴１３の周りにはネジの回り止め用のギザ歯加工部１３ａが施されている。
【００１２】
上記の構成において、図２にあらわしたように先ずリフレクター１１を嵌め込んだハウジング７を、正面側をバスケットＢの正面側に向くよう、背面側に突出させた取付け部１２をもって、ブラケット１の先端固定片５に重ね合わせ、ネジ１４を取付け部１２のネジ穴１３から固定片５のネジ穴６内に向けて螺入させて締め付け固定する。なおこの場合にネジ１４を緩めればリフレクター１１を有するハウジング７の取り付け角度を任意に調整することができる。
【００１３】
ブラケット１の任意の凹部３ａまたは３ｂをもってバスケットステーＢＳの上端水平部を下側から跨がらせた状態にてバスケットＢの底面部に取り付けた固定用のプレートＰにより、該プレートＰのネジ穴Ｐ１、Ｐ２、Ｐ３のうち、上記凹部３ａまたは３ｂの両側の取り付け用のねじ穴４ａ〜４ｃのうち対応するネジ穴に向けて締め付け用ネジ１５ａ・１５ｂを螺入締め付けして取り付ける。
【００１４】
なおこの場合に、バスケットＢの大きさや正面側突出の程度が比較的小さい場合には、バスケットステーＢＳに対するブラケット１の取り付けに際して凹部３ａではなく凹部３ｂの方を用いて取り付けることによりリフレクター１１の正面側突出の程度を調整することができる。また上記の実施例においては、内部に中空室８を形成したハウジング７のリフレクター１１をスライド装入させる開口をハウジング７の左右側としたが、上下側としてもよい。
【００１５】
またバスケットステーＢＳに対するブラケット１の取り付けについても、上記の実施例ではかごＢの底面部に取り付けた固定用のプレートＰの上面側からブラケット１のねじ穴４ａ〜４ｃのうち対応するネジ穴に向けて締め付け用ネジ１５ａ・１５ｂを螺入締め付けるようにしたが、この場合ブラケット１の凹部３ａまたは３ｂの形成突出方向を逆にして、下方向ではなく上方向に向けて形成し、ブラケット１をバスケットステーＢＳの上側に配置し、バスケットステーＢＳの下側に別のプレートを配置して、該プレートのネジ穴からブラケット１のネジ穴に向けて締め付けネジを螺入固定するようにしてもよい。
【００１６】
なお、図中において１６は自転車の前輪側の車輪、１７は前泥除けをあらわしている。
【図面の簡単な説明】
【００１７】
【図１】本考案の自転車用バスケット下リフレクター装置を装着した状態をあらわした自転車の部分的斜面図。
【図２】本考案の自転車用バスケット下リフレクター装置を分解してあらわした背面側より見た拡大斜面図。
【図３】本考案のブラケットを拡大してあらわした平面図。
【図４】本考案のブラケットの一部を切り欠いてあらわした拡大側面図
【符号の説明】
【００１８】
１      ブラケット
２      平板状部材
３ａ    凹部
３ｂ    凹部
４ａ    ねじ穴
４ｂ    ねじ穴
４ｃ    ねじ穴
５      固定片
６      ネジ穴
７      ハウジング
８      中空室
９      開口窓
１０    開口部
１１    リフレクター
１２    取付け部
１３    ネジ穴
１３ａ  ギザ歯加工部
１４    ネジ
１５ａ  締め付け用ネジ
１５ｂ  締め付け用ネジ
１６    前輪側の車輪
１７    前泥除け
ｘ      バーリング加工部
ｙ      バーリング加工部
ｚ      バーリング加工部
Ｂ      バスケット
Ｐ      プレート
Ｐ１    ネジ穴
Ｐ２    ネジ穴
Ｐ３    ネジ穴
ＢＳ    バスケットステー
【図１】
0003143534.tif 000003
【図２】
0003143534.tif 000004
【図３】
0003143534.tif 000005
【図４】
0003143534.tif 000006